(57)【要約】      （修正有）【課題】壁パネルを設置場所まで効率よく搬送することができ、作業工数及び費用の低減を図ることができる、壁パネルの設置方法及び壁パネルの搬送装置を提供する。【解決手段】壁パネル２の下端と下部支持部１１ａとの間に配置される下部搬送手段３及び壁パネル２の上端と上部ガイド部１２ａとの間に配置される上部搬送手段４を配置する準備工程と、壁パネル２を下部支持部１１ａと上部ガイド部１２ａとの間に配置して設置場所まで搬送する搬送工程と、壁パネル２を起立させたまま支持可能な支持手段５に載せ替える移載工程と、下部搬送手段３及び上部搬送手段４を取り外す第一撤去工程と、壁パネル２の設置高さを調整する高さ調整工程と、壁パネル２を所定の位置まで移動させる移動工程と、壁パネル２の下流端側の高さを保持する高さ保持工程と、支持手段５を取り外す第二撤去工程と、を有している。【選択図】図４
2015151803.tif 000002
【特許請求の範囲】
【請求項１】
トンネルの内部空間を延設方向に沿って仕切る壁パネルの設置方法において、
前記トンネルは、前記トンネルの底部を構成するインバートに形成され前記壁パネルの下端を支持する下部支持部と、前記トンネルの天井部に配置され前記壁パネルの上端を案内する上部ガイド部と、を有し、
前記壁パネルの下端と前記下部支持部との間に配置される下部搬送手段及び前記壁パネルの上端と前記上部ガイド部との間に配置される上部搬送手段を配置する準備工程と、
前記壁パネルを前記下部支持部と前記上部ガイド部との間に配置して設置場所まで搬送する搬送工程と、を有する、
ことを特徴とする壁パネルの設置方法。
【請求項２】
前記壁パネルの設置方法は、前記壁パネルを起立させたまま支持可能な支持手段に載せ替える移載工程と、前記下部搬送手段及び前記上部搬送手段を取り外す第一撤去工程と、前記壁パネルを所定の位置まで移動させる移動工程と、前記支持手段を取り外す第二撤去工程と、をさらに有する、ことを特徴とする請求項１に記載の壁パネルの設置方法。
【請求項３】
前記移動工程の前に、前記壁パネルの設置高さを調整する高さ調整工程を有する、ことを特徴とする請求項２に記載の壁パネルの設置方法。
【請求項４】
前記第二撤去工程の前に、前記壁パネルの下流端側の高さを保持する高さ保持工程を有する、ことを特徴とする請求項２又は３に記載の壁パネルの設置方法。
【請求項５】
前記移動工程又は前記第二撤去工程の後に、前記壁パネルの傾斜角度を調整する角度調整工程を有する、ことを特徴とする請求項２〜４の何れか一項に記載の壁パネルの設置方法。
【請求項６】
トンネルの内部空間を延設方向に沿って仕切る壁パネルの搬送装置において、
前記トンネルは、前記トンネルの底部を構成するインバートに形成され前記壁パネルの下端を支持する下部支持部と、前記トンネルの天井部に配置され前記壁パネルの上端を支持する上部ガイド部と、を有し、
前記壁パネルの下端と前記下部支持部との間に配置される下部搬送手段と、前記壁パネルの上端と前記上部ガイド部との間に配置される上部搬送手段と、を備え、
前記トンネルの入口側から前記壁パネルを前記下部支持部と前記上部ガイド部との間に配置し、前記下部支持部及び前記上部ガイド部に沿って前記壁パネルを設置場所まで搬送する、
ことを特徴とする壁パネルの搬送装置。
【請求項７】
前記下部搬送手段は、前記壁パネルの両側面部に配置され前記下部支持部に沿って転動可能な車輪によって構成される、ことを特徴とする請求項６に記載の壁パネルの搬送装置。
【請求項８】
前記上部搬送手段は、前記壁パネルの両側面部に配置され前記上部ガイド部に沿って転動可能な案内輪によって構成される、ことを特徴とする請求項６に記載の壁パネルの搬送装置。
【発明の詳細な説明】
【技術分野】
【０００１】
本発明は、壁パネルの設置方法及び壁パネルの搬送装置に関し、特に、トンネルの内部空間を仕切る壁パネルに適した壁パネルの設置方法及び壁パネルの搬送装置に関する。
【背景技術】
【０００２】
地中には、交通用、下水道用、ケーブル用等、種々のトンネルが設置されている。一つのトンネルを二種類以上の用途に使用する場合（例えば、車道と歩道、雨水路と汚水路等）には、トンネルを延設方向（軸方向）に沿って内部空間を仕切る壁パネルを敷設する必要がある。かかる壁パネルは、仕切り壁や背割り壁と呼ばれることもある。
【０００３】
例えば、特許文献１には、トンネル内に設置された背割り壁の設置構造であって、前記トンネルの天井部に突設された複数の突起が、前記背割り壁の上端部に前記トンネルの軸方向に連続して形成された溝状部に係合され、当該トンネルの天井部と背割り壁の上端部との間に弾性シール材が介在され、かつ前記背割り壁の下端部が前記トンネルの底部に打設されたインバートのコンクリート内に埋設されていることが開示されている。
【先行技術文献】
【特許文献】
【０００４】
【特許文献１】特開２００７−３３２６５６号公報
【発明の概要】
【発明が解決しようとする課題】
【０００５】
上述した特許文献１に記載されたように、トンネル内に壁パネルを設置する場合、設置場所まで壁パネルを搬送しなければならない。一般に、壁パネルの搬送には、台車が用いられる。具体的には、トンネル内にレールを敷設し、そのレール上を走行可能な台車を用意し、台車上に壁パネルを平積みして、トンネルの入口側から設置場所まで搬送する。そして、現場で壁パネルを起立させ、インバートの溝に壁パネルを嵌め込み、手押しすることによって、隣接する壁パネルを密接させる。
【０００６】
かかる従来の搬送方法では、壁パネルの搬送用にレールを敷設し、工事完了後はレールを撤去しなければならないことから、作業工数の増加及び費用の増大を招いていた。特に、トンネルの入口から設置場所まで達するレールを敷設することができない場合は、区間を区切り、レールの敷設と撤去を繰り返しながら壁パネルを搬送することとなり、非効率的であった。また、レールは単線であることが多く、壁パネルの搬送を終えた後、トンネルの入口まで新たな壁パネルを取りに戻らなければならず、非効率的であった。
【０００７】
本発明は、上述した問題点に鑑み創案されたものであり、壁パネルを設置場所まで効率よく搬送することができ、作業工数及び費用の低減を図ることができる、壁パネルの設置方法及び壁パネルの搬送装置を提供することを目的とする。
【課題を解決するための手段】
【０００８】
本発明によれば、トンネルの内部空間を延設方向に沿って仕切る壁パネルの設置方法において、前記トンネルは、前記トンネルの底部を構成するインバートに形成され前記壁パネルの下端を支持する下部支持部と、前記トンネルの天井部に配置され前記壁パネルの上端を案内する上部ガイド部と、を有し、前記壁パネルの下端と前記下部支持部との間に配置される下部搬送手段及び前記壁パネルの上端と前記上部ガイド部との間に配置される上部搬送手段を配置する準備工程と、前記壁パネルを前記下部支持部と前記上部ガイド部との間に配置して設置場所まで搬送する搬送工程と、を有する、ことを特徴とする壁パネルの設置方法が提供される。
【０００９】
前記壁パネル壁パネルの設置方法は、を起立させたまま支持可能な支持手段に載せ替える移載工程と、前記下部搬送手段及び前記上部搬送手段を取り外す第一撤去工程と、前記壁パネルを所定の位置まで移動させる移動工程と、前記支持手段を取り外す第二撤去工程と、をさらに有していてもよい。
【００１０】
前記移動工程の前に、前記壁パネルの設置高さを調整する高さ調整工程を有していてもよい。また、前記第二撤去工程の前に、前記壁パネルの下流端側の高さを保持する高さ保持工程を有していてもよい。また、前記移動工程又は前記第二撤去工程の後に、前記壁パネルの傾斜角度を調整する角度調整工程を有していてもよい。
【００１１】
また、本発明によれば、トンネルの内部空間を延設方向に沿って仕切る壁パネルの搬送装置において、前記トンネルは、前記トンネルの底部を構成するインバートに形成され前記壁パネルの下端を支持する下部支持部と、前記トンネルの天井部に配置され前記壁パネルの上端を支持する上部ガイド部と、を有し、前記壁パネルの下端と前記下部支持部との間に配置される下部搬送手段と、前記壁パネルの上端と前記上部ガイド部との間に配置される上部搬送手段と、を備え、前記トンネルの入口側から前記壁パネルを前記下部支持部と前記上部ガイド部との間に配置し、前記下部支持部及び前記上部ガイド部に沿って前記壁パネルを設置場所まで搬送する、ことを特徴とする壁パネルの搬送装置が提供される。
【００１２】
前記下部搬送手段は、前記壁パネルの両側面部に配置され前記下部支持部に沿って転動可能な車輪によって構成されていてもよい。また、前記上部搬送手段は、前記壁パネルの両側面部に配置され前記上部ガイド部に沿って転動可能な案内輪によって構成されていてもよい。
【発明の効果】
【００１３】
上述した本発明に係る壁パネルの設置方法及び壁パネルの搬送装置によれば、壁パネルに上部搬送手段及び下部搬送手段を配置したことにより、トンネルの下部支持部及び上部ガイド部を利用して壁パネルを設置場所まで効率よく搬送することができ、作業工数及び費用の低減を図ることができる。
【図面の簡単な説明】
【００１４】
【図１】本発明の実施形態に係る壁パネルを設置するトンネルを示す断面図であり、（ａ）は壁パネルのない状態、（ｂ）は壁パネルの搬送状態、を示している。
【図２】本発明の実施形態に係る壁パネルの搬送装置を示す正面図である。
【図３】本発明の実施形態に係る壁パネルの搬送装置を示す側面図である。
【図４】本実施形態に係る壁パネルの設置方法を示す図であり、（ａ）は搬送工程、（ｂ）は移載工程、（ｃ）は第一撤去工程、を示している。
【図５】本実施形態に係る壁パネルの設置方法を示す図であり、（ａ）は高さ調整工程、（ｂ）は移動工程、（ｃ）は高さ保持工程、を示している。
【図６】本実施形態に係る壁パネルの設置方法を示す図であり、（ａ）は第二撤去工程、（ｂ）は繰り返し工程、（ｃ）は固定工程、を示している。
【図７】壁パネルの設置方法の変形例を示す図であり、（ａ）は角度調整工程、（ｂ）は搬送工程、を示している。
【発明を実施するための形態】
【００１５】
以下、本発明に係る壁パネルの設置方法及び壁パネルの搬送装置の実施形態について、図１〜図７を用いて説明する。ここで、図１は、本発明の実施形態に係る壁パネルを設置するトンネルを示す断面図であり、（ａ）は壁パネルのない状態、（ｂ）は壁パネルの搬送状態、を示している。
【００１６】
本発明の実施形態に係る壁パネルの設置方法は、トンネル１の内部空間を延設方向に沿って仕切る壁パネル２の設置方法であって、トンネル１は、トンネル１の底部を構成するインバート１１に形成され壁パネル２の下端を支持する下部支持部１１ａと、トンネル１の天井部１２に配置され壁パネル２の上端を案内する上部ガイド部１２ａと、を有し、壁パネル２の下端と下部支持部１１ａとの間に配置される下部搬送手段３及び壁パネル２の上端と上部ガイド部１２ａとの間に配置される上部搬送手段４を配置する準備工程と、壁パネル２を下部支持部１１ａと上部ガイド部１２ａとの間に配置して設置場所まで搬送する搬送工程と、壁パネル２を起立させたまま支持可能な支持手段５に載せ替える移載工程と、下部搬送手段３及び上部搬送手段４を取り外す第一撤去工程と、壁パネル２の設置高さを調整する高さ調整工程と、壁パネル２を所定の位置まで移動させる移動工程と、壁パネル２の下流端側の高さを保持する高さ保持工程と、支持手段５を取り外す第二撤去工程と、を有している。
【００１７】
図１（ａ）及び（ｂ）に示したトンネル１は、例えば、地中に埋設された下水道管であり、雨水路と汚水路とを仕切るために、複数の壁パネル２がトンネル１の延設方向（軸方向）に沿って配置される。トンネル１は、下水道管に限定されるものではなく、交通用やケーブル用等のトンネルであってもよい。ここでは、トンネル１の内部空間を二つに仕切る場合について説明しているが、三つ以上に仕切る場合にも同様の設置方法を適用することができる。
【００１８】
図１（ａ）に示したように、トンネル１には底部を構成するインバート１１が形成される。インバート１１は、一般に、コンクリートによって形成され、壁パネル２を配置したい箇所に下部支持部１１ａが形成されている。下部支持部１１ａは、例えば、溝部であるが、インバート１１上に敷設されたレール等であってもよい。かかる下部支持部１１ａは、トンネル１の延設方向（軸方向）に一致する位置に形成される。
【００１９】
また、天井部１２には、壁パネル２を案内するための上部ガイド部１２ａが配置される。上部ガイド部１２ａは、例えば、ガイドレールを構成する支持金具であるが、天井部１２に形成された溝部であってもよい。支持金具により構成される上部ガイド部１２ａは、例えば、天井部１２から下方に突出した平板部を有し、下部支持部１１ａの上方に位置するように配置される。上部ガイド部１２ａは、例えば、ボルト等の締結具（図示せず）によって天井部１２に固定される。
【００２０】
壁パネル２は、例えば、略平板形状に形成されたコンクリート製品により構成される。表面又は裏面には、用途に応じて樹脂パネルを埋め込むようにしてもよい。なお、壁パネル２はコンクリート製に限定されるものではない。
【００２１】
ここで、図２は、本発明の実施形態に係る壁パネルの搬送装置を示す正面図であり、図３は、本発明の実施形態に係る壁パネルの搬送装置を示す側面図である。本実施形態に係る壁パネル２の設置方法では、上述したように、下部搬送手段３及び上部搬送手段４を配置する準備工程を有している。
【００２２】
図示した壁パネル２の搬送装置は、トンネル１の内部空間を延設方向に沿って仕切る壁パネル２の搬送装置であって、壁パネル２の下端と下部支持部１１ａとの間に配置される下部搬送手段３と、壁パネル２の上端と上部ガイド部１２ａとの間に配置される上部搬送手段４と、を備え、トンネル１の入口側から壁パネル２を下部支持部１１ａと上部ガイド部１２ａとの間に配置し、下部支持部１１ａ及び上部ガイド部１２ａに沿って壁パネル２を設置場所まで搬送するものである。
【００２３】
下部搬送手段３は、図２及び図３に示したように、例えば、壁パネル２の両側面部に配置され下部支持部１１ａに沿って転動可能な車輪３１によって構成される。車輪３１は、ボルト等の締結具３２によって壁パネル２の下端部側面に固定されるガイドフレーム３３に回転可能に支持されている。車輪３１は、下部支持部１１ａ内に挿通され、壁パネル２の下端がインバート１１と接触しないように高さを保持しつつ、壁パネル２を下部支持部１１ａに沿って搬送する。
【００２４】
また、ガイドフレーム３３の両側部には、壁パネル２の蛇行を抑制するためのサイドローラ３４を配置するようにしてもよい。サイドローラ３４は、下部支持部１１ａの延伸方向に回転可能に支持されており、下部支持部１１ａの側面部に接触して転動し、壁パネル２の蛇行を抑制して壁パネル２とインバート１１との接触を防止する。
【００２５】
上部搬送手段４は、図２及び図３に示したように、例えば、壁パネル２の両側面部に配置され上部ガイド部１２ａに沿って転動可能な案内輪４１によって構成される。案内輪４１は、ボルト等の締結具４２によって壁パネル２の上端側面に固定されるガイドフレーム４３に回転可能に支持されている。案内輪４１は、図３に示したように、上部ガイド部１２ａの表面と裏面の両面に対峙し、壁パネル２が上部ガイド部１２ａと接触しないように配置されている。案内輪４１は、上部ガイド部１２ａに接触して転動し、壁パネル２の移動を案内する。
【００２６】
また、ガイドフレーム４３に形成された締結具４２の挿通孔４４は、長孔形状に形成されており、ガイドフレーム４３の高さ位置、すなわち、案内輪４１の高さ位置を調節することができるように構成されていてもよい。かかる構成により、インバート１１と天井部１２との距離が場所によって異なっている場合であっても、案内輪４１を適切な位置に配置することができる。
【００２７】
また、図２に示したように、壁パネル２の一方の側面部には、突出したピン形状の雄型ジョイント２２が配置され、他方の側面部には、壁パネル２内に埋め込まれたボックス状の雌型ジョイント２３が配置されている。雌型ジョイント２３に隣接する壁パネルの雄型ジョイント２２を差し込むことによって、雌型ジョイント２３内に収納された部品が雄型ジョイント２２を挟み込み、隣接する壁パネル２が接続される。
【００２８】
このジョイント構造には、例えば、特許第４９５１４３８号に記載された継手構造（いわゆる、ワンタッチジョイント）を適用することができる。ただし、壁パネル２のジョイント構造は、かかる継手構造に限定されるものではなく、隣接する壁パネル２を接続することができれば、他の構造（例えば、ボルトで締結する構造）であってもよい。また、壁パネル２の接続を必要としない仕切り壁の場合には、ジョイント構造を省略してもよい。
【００２９】
また、図２に示したように、壁パネル２の底面部には、壁パネル２に螺合させることによって頭部の高さ位置を調節することができる支持ボルト２４が配置されていてもよい。この支持ボルト２４は、壁パネル２を接続した後、自重を支える部品であることから、それに耐え得る強度を有していることが必要である。また、壁パネル２の搬送方向に対して下流側に配置しておくことが好ましい。かかる構成により、壁パネル２の接続部から離隔した部分の底部を支持ボルト２４で支えることができ、接続部への負担を低減することができる。なお、支持ボルト２４は、必要に応じて省略することができる。
【００３０】
以下、本実施形態に係る壁パネル２の設置方法について詳述する。図４は、本実施形態に係る壁パネルの設置方法を示す図であり、（ａ）は搬送工程、（ｂ）は移載工程、（ｃ）は第一撤去工程、を示している。図５は、本実施形態に係る壁パネルの設置方法を示す図であり、（ａ）は高さ調整工程、（ｂ）は移動工程、（ｃ）は高さ保持工程、を示している。図６は、本実施形態に係る壁パネルの設置方法を示す図であり、（ａ）は第二撤去工程、（ｂ）は繰り返し工程、（ｃ）は固定工程、を示している。なお、各図は、図１（ｂ）におけるＸ−Ｘ線断面図を図示したものである。
【００３１】
図４（ａ）に示した搬送工程は、壁パネル２を設置場所まで搬送する工程である。具体的には、仮設されたトンネル１の先端から下部搬送手段３及び上部搬送手段４を取り付けた壁パネル２を下部支持部１１ａと上部ガイド部１２ａとの間に配置し、壁パネル２を押しながら設置場所まで搬送する。壁パネル２の搬送は、人力であってもよいし、牽引したり、押し出したりする機器を利用してもよい。
【００３２】
図４（ｂ）に示した移載工程は、設置場所の近傍に到達した壁パネル２を支持手段５に載せ替える工程である。壁パネル２は、搬送工程の段階で既に起立した状態であることから、このままの状態を保持することが好ましい。また、既設の壁パネル２′と連続する位置まで移動させるには下部搬送手段３及び上部搬送手段４を取り外す必要があることから、壁パネル２を支持手段５に移載する必要がある。
【００３３】
支持手段５は、例えば、壁パネル２の表面及び裏面に接続される支持治具５１と、支持治具５１に当接して壁パネル２を昇降させるジャッキ装置５２と、インバート１１上で水平方向に移動可能な台車５３と、を有している。なお、台車５３は、必要に応じて、停止位置を固定するためのブレーキや固定手段を有していてもよい。
【００３４】
支持治具５１は、壁パネル２の両面にボルト等の締結具によって接続される平板部材である。この支持治具５１は、準備工程の段階で取り付けてもよいし、壁パネル２が設置場所に到達してから取り付けるようにしてもよい。ジャッキ装置５２は、油圧式であってもよいし、機械式であってもよいし、電動式であってもよい。台車５３は、上面にジャッキ装置５２を搭載しており、下面にキャスター等の駆動機構を有している。そして、壁パネル２に支持治具５１を取り付けた後、壁パネル２の両面に所定台数のジャッキ装置５２を配置し、ジャッキ装置５２の先端を支持治具５１に当接させ、壁パネル２を僅かに持ち上げる。
【００３５】
図４（ｃ）に示した第一撤去工程は、壁パネル２から下部搬送手段３及び上部搬送手段４を取り外す工程である。具体的には、締結具３２，４２を壁パネル２から取り外すことによって下部搬送手段３及び上部搬送手段４を撤去する。このとき、壁パネル２は、支持手段５により持ち上げられていることから、下部搬送手段３及び上部搬送手段４を撤去した場合であっても、その姿勢を保持することができる。
【００３６】
図５（ａ）に示した高さ調整工程は、壁パネル２の高さを既設の壁パネル２′と一致させる工程である。具体的には、ジャッキ装置５２により壁パネル２の高さを調節し、既設の壁パネル２′の雌型ジョイント２３と、隣接する壁パネル２の雄型ジョイント２２との高さを一致させる。かかる構成により、壁パネル２をスライドさせるだけで、壁パネル２を既設の壁パネル２′と連続する位置まで移動させることができる。なお、下部支持部１１ａ及び上部ガイド部１２ａにより、壁パネル２の配置高さが一定となるように既に調整されている場合には、高さ調整工程を省略してもよい。
【００３７】
図５（ｂ）に示した移動工程は、壁パネル２を既設の壁パネル２′と連続する位置まで移動させる工程である。壁パネル２は台車５３上のジャッキ装置５２により支持されていることから、壁パネル２を押すだけで水平方向に移動させることができ、壁パネル２を既設の壁パネル２′と連続する位置まで移動させることができ、壁パネル２と既設の壁パネル２′とを接続することができる。ジョイント構造を有しない壁パネル２の場合（すなわち、接続を要しない壁パネル２の場合）には、既設の壁パネル２′に壁パネル２を当接させるように移動させればよい。また、接続直前に壁パネル２の高さを微調整するようにしてもよい。なお、台車５３を自走式にして、台車５３を操縦することにより、壁パネル２を移動させるようにしてもよい。
【００３８】
図５（ｃ）に示した高さ保持工程は、配置した壁パネル２の高さを固定する工程である。壁パネル２を接続した後、支持手段５を壁パネル２から取り外す必要がある。しかしながら、壁パネル２を接続した後、そのまま支持手段５を取り外した場合には、反対側（下流側）の端部が自重により降下し、既設の壁パネル２′との接続部に過大な負荷が生じてしまうこととなる。そこで、支持ボルト２４の高さを調節し、壁パネル２が略水平（インバート１１に対して平行）となるように保持することが好ましい。壁パネル２が支持ボルト２４を有していない場合には、壁パネル２の底部にライナーや楔を挟み込むことによって壁パネル２の高さを保持するようにすればよい。なお、既設の壁パネル２′との接続部の強度が高い場合や壁パネル２の下端を下部支持部１１ａに載置する場合や壁パネル２と既設の壁パネル２′とを接続しない場合には、高さ保持工程を省略してもよい。
【００３９】
図６（ａ）に示した第二撤去工程は、壁パネル２から支持手段５を取り外す工程である。具体的には、ジャッキ装置５２を退避させて壁パネル２の拘束を解き、ジャッキ装置５２及び台車５３を収容した後、支持治具５１を壁パネル２から撤去する。その結果、図示したように、壁パネル２を既設の壁パネル２′と同じ状態に仮設することができる。
【００４０】
図６（ｂ）に示した繰り返し工程は、上述した準備工程〜第二撤去工程を壁パネル２ごとに繰り返して壁パネル２を必要枚数だけ配置する工程である。なお、先頭の壁パネル２″については、先行する既設の壁パネル２′が存在しないことから、壁パネル２″の高さを調整するための台座２７を配置するようにしてもよい。
【００４１】
また、図６（ｃ）に示した固定工程は、配置した壁パネル２の上端及び下端にモルタルを埋め込んで壁パネル２をトンネル１に固定する工程である。かかる処理により、トンネル１を水密に仕切ることができる。図ではモルタルの施工部分を灰色に塗り潰している。また、壁パネル２同士の接続部にシール材を配置してもよいし、事後的に目地材によりシールするようにしてもよい。なお、壁パネル２により仕切られる内部空間を水密に形成する必要がない場合には、固定工程を省略してもよい。
【００４２】
上述した本発明に係る壁パネル２の設置方法及び壁パネル２の搬送装置によれば、壁パネル２に上部搬送手段４及び下部搬送手段３を配置したことにより、トンネル１の下部支持部１１ａ及び上部ガイド部１２ａを利用して壁パネル２を設置場所まで効率よく搬送することができる。特に、壁パネル２を順番に搬送するだけで仕切り壁を形成することができることから、従来工法のように途中で新たな壁パネル２を取りに戻る手間を省略することができる。また、壁パネル２の設置場所近傍で壁パネル２を支持手段５に移載することにより、上部搬送手段４及び下部搬送手段３を撤去して高さを保持したまま壁パネル２を所定の位置まで移動させることができる。したがって、従来の工法と比較して、作業工数及び費用の低減を図ることができる。
【００４３】
次に、上述した実施形態に係る壁パネル２の設置方法の変形例について、図７（ａ）及び（ｂ）を参照しつつ説明する。ここで、図７は、壁パネルの設置方法の変形例を示す図であり、（ａ）は角度調整工程、（ｂ）は搬送工程、を示している。なお、上述した実施形態と同じ構成部品については、同じ符号を付して重複した説明を省略する。
【００４４】
図７（ａ）に示した変形例は、壁パネル２の角度調整工程を図示したものである。角度調整工程は、図５（ｂ）に示した移動工程の後に壁パネル２の傾斜角度を調整する工程である。具体的には、図示したように、壁パネル２の表面側及び裏面側の両方から傾斜調整ボルト２５を挿通して上部ガイド部１２ａに先端を当接させることにより、一対の傾斜調整ボルト２５の挿入量を調整する。
【００４５】
壁パネル２は、上部ガイド部１２ａを挿通するための挿通溝２６を有しており、傾斜調整ボルト２５の挿入量を調整することにより、挿通溝２６と上部ガイド部１２ａとの間隔Ｄａ，Ｄｂの比率を調整することができる。この間隔Ｄａ，Ｄｂの比率を調整することにより、壁パネル２の傾斜角度を調整することができる。
【００４６】
かかる角度調整工程により、壁パネル２の傾斜角度を任意の傾斜角度に設定することができ、壁パネル２の製作上及び施工上の誤差を吸収して壁パネル２，２′間の隙間を低減することができる。また、角度調整工程は、図５（ｃ）に示した高さ保持工程の後に行ってもよいし、図６（ａ）に示した第二撤去工程の後に行うようにしてもよい。なお、壁パネル２が傾斜調整ボルト２５を有しない場合には、挿通溝２６と上部ガイド部１２ａとの隙間にライナーや楔を挿入することによって、壁パネル２の傾斜角度を調整するようにしてもよい。
【００４７】
図７（ｂ）に示した変形例は、下部搬送手段３の変形例を図示したものである。具体的には、下部支持部１１ａにボールベアリング３５を敷き詰めたものである。かかる構成によっても、壁パネル２を下部支持部１１ａに沿って容易に搬送することができる。また、設置場所の近傍で支持手段５に移載することによって、壁パネル２の下方に配置されたボールベアリング３５を撤去することができる。
【００４８】
本発明は上述した実施形態に限定されず、本発明の趣旨を逸脱しない範囲で種々変更が可能であることは勿論である。
【符号の説明】
【００４９】
１  トンネル
２  壁パネル
３  下部搬送手段
４  上部搬送手段
５  支持手段
１１  インバート
１１ａ  下部支持部
１２  天井部
１２ａ  上部ガイド部
２２  雄型ジョイント
２３  雌型ジョイント
２４  支持ボルト
２５  傾斜調整ボルト
２６  挿通溝
２７  台座
３１  車輪
３２  締結具
３３  ガイドフレーム
３４  サイドローラ
３５  ボールベアリング
４１  案内輪
４２  締結具
４３  ガイドフレーム
４４  挿通孔
５１  支持治具
５２  ジャッキ装置
５３  台車
【図１】
2015151803.tif 000003
【図２】
2015151803.tif 000004
【図３】
2015151803.tif 000005
【図４】
2015151803.tif 000006
【図５】
2015151803.tif 000007
【図６】
2015151803.tif 000008
【図７】
2015151803.tif 000009